【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
バイオセンサ装置において、
a)  支持構造体、
b)  該支持構造体から離れた突出した多数のマイクロカラム、
を有してなり、
前記マイクロカラムの各々が、
c)  前記支持構造体から離れた平坦な第１表面と少なくとも第２表面を有し、
d)  各第１表面に組み込まれた波長以下のグレーティングを有し、
e)  前記第１表面上に配列され、配置された一連の生体物質を有する、
ことを特徴とするバイオセンサ装置。
【請求項２】
前記第１表面が導波路コーティングを有することを特徴とする請求項２記載のバイオセンサ装置。
【請求項３】
前記マイクロカラムの各々が、マイクロタイタプレートのウェル内に適合するようなサイズであることを特徴とする請求項１記載のバイオセンサ装置。
【請求項４】
前記生体物質が直線アレイ状に配置されていることを特徴とする請求項１記載のバイオセンサ装置。
【請求項５】
前記デバイスが、a)核酸のハイブリダイゼーションと、b)プラスミド、ペプチド、タンパク質、脂質、膜、ウイルス粒子、化学分子および薬剤化合物のアッセイと、c)細胞トランスフェクションおよび細胞リバーストランスフェクションと、d)無標識様式での実時間相互作用分析とからなる群より選択される、生物または化学分析を実施するために適用されることを特徴とする請求項１記載のバイオセンサ装置。
【請求項６】
前記マイクロカラムの各々の前記第１表面上に位置する複数のマイクロピンをさらに備え、各マイクロピンが、異なる生体物質が付着した表面を有して、各マイクロカラムの前記第１表面上に多数の生体物質のアレイ構造を形成していることを特徴とする請求項１記載のバイオセンサ装置。
【請求項７】
前記マイクロピンの各々が、
1)  親水性湿潤面、および少なくとも一つの疎水性非湿潤側面、または
2)  多数の流体接触角で流体を捕捉する粗い微小頂面、
のいずれかを有し、
異なる種類の生体物質が、前記湿潤面または前記粗い微小頂面に付着していることを特徴とする請求項６記載のバイオセンサ装置。
【請求項８】
前記第１表面上に配置された格子状網状構造により画成された複数の収容空間内に配置された多数の異なる生体物質のシートをさらに有することを特徴とする請求項１記載のバイオセンサ装置。
【請求項９】
前記生体物質が、前記収容空間の網状構造内に直線アレイ状に配置されていることを特徴とする請求項８記載のバイオセンサ装置。
【請求項１０】
前記マイクロカラムの各々がモノリス構造を有することを特徴とする請求項１記載のバイオセンサ装置。
【請求項１１】
前記マイクロカラムの各々が前記支持構造体から該マイクロカラムを通って前記第１表面まで延在する中空空洞を有することを特徴とする請求項１記載のバイオセンサ装置。
【請求項１２】
前記中空空洞が、入口と出口、および該入口と該出口とを接続するマイクロチャンネルを有することを特徴とする請求項１１記載のバイオセンサ装置。
【請求項１３】
前記マイクロチャンネルが約５００μｍまでの直径を有することを特徴とする請求項１２記載のバイオセンサ装置。
【請求項１４】
前記マイクロカラムの各々が、該マイクロカラムのシャフトの長さを通って約９９．５％以下延在し、光ファイバ部材を収容できる中空空洞を有することを特徴とする請求項１記載のバイオセンサ装置。
【請求項１５】
アッセイを実施する方法において、
a)  支持構造体から離れて突出した多数のマイクロカラムであって、前記支持構造体から離れた、波長以下のグレーティングが組み込まれている第１表面と少なくとも第２表面とをそれぞれが有するマイクロカラムを備えた装置を提供し、
b)  前記マイクロカラムの数に対応した数のウェルを持つマイクロタイタプレートを提供し、
c)  1)前記各マイクロカラムの前記第１表面上、2)前記各ウェルの内面上、または3)それらの両方上、に生体物質の多数の試料のアレイを固定化し、
d)  前記装置を逆さにし、それによって、各マイクロカラムの前記第１表面が各ウェルの内面に向けられており、
e)  前記マイクロカラムを前記ウェルに嵌め込み、
f)  アッセイ試薬溶液を導入し、
g)  アッセイを実施する、
各工程を有してなることを特徴とする方法。
【請求項１６】
前記アッセイ溶液を前記マイクロカラム中を延在する流体導管中に通して導入する工程をさらに含むことを特徴とする請求項１５記載の方法。
【請求項１７】
a)  各マイクロカラムの前記第１表面と各ウェルの内面との間に毛管空間を形成し、b)前記装置を激しく動かして、前記アッセイ溶液中で前記生体物質を反応させる各工程をさらに含むことを特徴とする請求項１５記載の方法。
【請求項１８】
前記マイクロカラムを前記ウェルから取り出し、前記第１表面をイメージングする各工程を含むことを特徴とする請求項１５記載の方法。
【請求項１９】
a)  前記マイクロカラムを第２のマイクロタイタプレート中で洗浄し、
b)  前記第１表面を乾燥させ、
c)  前記マイクロカラムの第１表面上のアレイに結合した生体分析物を研究し、定量する、
各工程をさらに含むことを特徴とする請求項１５記載の方法。
【請求項２０】
前記生体物質が、ＤＮＡ、ＲＮＡ、オリゴヌクレオチド、プラスミド、ペプチド、タンパク質、脂質、膜、化学分子、薬剤化合物、ウイルス粒子、細胞、亜細胞成分、および細胞生成物を含むことを特徴とする請求項１５から１９いずれか１項記載の方法。
【請求項２１】
前記マイクロカラムが、９６ウェル、３８４ウェル、または１５３６ウェルの行列でアレイに形成されていることを特徴とする請求項１５から２０いずれか１項記載の方法。
【請求項２２】
前記マイクロカラムが、ガラス材料、ポリマー材料、金属材料、セラミック材料および複合材料からなる群より選択される材料から製造されていることを特徴とする請求項１５から２１いずれか１項記載の方法。
【請求項２３】
前記頂面が、アミノプロピルシラン処理ガラス、石英、合成シリカ、ポリプロピレン、ポリスチレン、ナイロンフィルタ、金、銀、白金、クロム、およびケイ素からなる群より選択される材料を有することを特徴とする請求項１５から２２いずれか１項記載の方法。
【請求項２４】
前記生体物質が、ＤＮＡ、ＲＮＡ、オリゴヌクレオチド、プラスミド、ペプチド、タンパク質、脂質、膜、化学分子、薬剤化合物、ウイルス粒子、細胞、亜細胞成分、および細胞生成物を含むことを特徴とする請求項１から１４いずれか１項記載のバイオセンサ装置。
【請求項２５】
前記マイクロカラムが、９６ウェル、３８４ウェル、または１５３６ウェルの行列でアレイに形成されていることを特徴とする請求項１から１４または２４いずれか１項記載のバイオセンサ装置。
【請求項２６】
前記マイクロカラムが、ガラス材料、ポリマー材料、金属材料、セラミック材料および複合材料からなる群より選択される材料から製造されていることを特徴とする請求項１から１４、２４または２５いずれか１項記載のバイオセンサ装置。
【請求項２７】
前記頂面が、アミノプロピルシラン処理ガラス、石英、合成シリカ、ポリプロピレン、ポリスチレン、ナイロンフィルタ、金、銀、白金、クロム、およびケイ素からなる群より選択される材料を有することを特徴とする請求項１から１４および２４から２６いずれか１項記載のバイオセンサ装置。